(57)【要約】      （修正有）【課題】洗濯の時には繊維を傷めることが少なく、脱水の時には強い皺を付けることが無く、乾燥の時には乾燥むらが起こりにくく、さらに乾燥時間が短縮でき、ふっくらとした皴の少ない型崩れの少ない仕上がり得る洗濯乾燥機を提供する。【解決手段】洗濯乾燥機１において減圧槽２の内側に洗濯槽４を設置する。洗濯槽４に温水器７からの温水を必要量供給する。減圧槽の蓋３を閉じて減圧槽２を高速回転させると減圧槽２及び洗濯槽４の中の気圧は１７．５ｍｍＨｇから９２．５ｍｍＨｇに減圧される。洗濯槽４の水は沸騰して対流と気化が起こり、この対流と気化した空気が衣服などを揉み洗いする。次の脱水工程及び乾燥工程は、減圧時の沸点低下を利用して水分の蒸発、除去を行う。【選択図】図１
2005066264.tif 000002
【特許請求の範囲】
【請求項１】
減圧槽と洗濯槽を持った洗濯乾燥機において、減圧槽を高速回転させて洗濯槽の中を１７．５ｍｍＨｇから９２．５ｍｍＨｇに減圧することにより洗濯槽内に貯められた水を沸騰させて衣服などを洗浄することを特徴とした洗濯乾燥機。
【請求項２】
洗濯槽やパルセーターに熱線を埋め込んだことを特徴とした洗濯乾燥機。
【請求項３】
洗濯、脱水、乾燥までの工程を１７．５ｍｍＨｇから９２．５ｍｍＨｇに減圧して行うことを特徴とした洗濯乾燥機。
【発明の詳細な説明】
【技術分野】
【０００１】  本発明は、洗濯乾燥機による衣服などの洗濯システムに関するものである。
【背景技術】
【０００２】  現在、洗濯乾燥機の洗濯工程においては、洗濯槽及びパルセーターを回転させ、その回転により水を動かして洗濯をする方式が主流である、この方式の短所は、洗濯槽及びパルセーターの回転により衣服がこすれて傷んでしまう。最近では、この短所を解決するために超音波や泡を利用した洗濯機が開発されている。【０００３】蓋をした円筒形の筒の壁面に穴を開けて、その開いた穴に遠心力が掛かるように円筒形の筒を高速回転させるとこの筒の中が真空に近い状態まで減圧されることは良く知られている。
また、気圧と沸点との関係は良く知られているものであり、下記に一般的に言われている関係を記載する。
2005066264.tif 000003
減圧槽と脱水洗濯槽の２つのドラムを持った洗濯乾燥機に関しては、平成１５年７月２８日に（減圧槽を持った洗濯乾燥機）として特許申請されている。
また、沸点を利用した洗濯乾燥機に関しては、平成１５年８月１９日に（沸点を利用した洗濯乾燥機）として特許申請されている。
また、水の温度は沸点以上には上昇できいことは良く知られている。
【発明の開示】
【発明が解決しようとする課題】
【０００４】解決しようとする問題点は、今まで長時間を必要としていた洗濯乾燥機での、洗濯、脱水、乾燥までの時間を短縮すると同時にやわらかく傷みや皺の少ない衣服などの仕上がりを行おうと言うものである。
【課題を解決するための手段】
【０００５】  壁面に穴を開け外気が入らないように蓋をした減圧槽の中に洗濯槽を設置する。このことにより、減圧槽を回転させて減圧槽内が１７．５ｍｍＨｇから９２．５ｍｍＨｇに減圧すると洗濯槽の中も一緒に減圧されて洗濯槽内の水の沸点は２０℃から５０℃となる。この沸点の持つ特徴を利用して洗濯、脱水、乾燥を行うものである。この洗濯槽には温度計と熱線が組み込まれていて洗濯槽を２０℃から１００℃に暖めることが出来る。またこの洗濯槽の下部には熱線が組み込まれたパルセーターがあり、このパルセーターも２０℃から１００℃に暖めることが出来る。このパルセーターには温水器で２０℃から５０℃に暖めた温水を洗濯槽に入れるための給水弁と、洗濯槽の水を排水するための排水弁及び洗濯槽の中に温風器で２０℃から７０℃に暖めた温風を送り込むための通風弁が取り付けられている。
【実施例１】
【０００６】  以下に洗濯槽内の沸点を３０℃に設定した時の洗濯工程の実施例を説明する。洗濯槽の中に衣服などを入れた後、減圧槽の蓋をする。次にパルセーターに取り付けられた給水弁を開いて温水器で３０℃以上に温めた温水を必要量洗濯槽の中に入れて必要量の温水が入ったら給水弁を閉じる。この時に洗濯槽とパルセーターの熱線に電源を入れて洗濯槽及びパルセーターを３０℃以上に温めておく。次に減圧槽を回転させ減圧槽内及び洗濯槽内を徐々に３１，８ｍｍＨｇまで減圧する。この減圧により洗濯槽内の沸点は３０℃まで低下することになり、３０℃以上に温められた温水は沸騰することになる。この沸騰の時に洗濯槽内に発生する対流と気化した空気により発生する水流により洗濯槽内に入っている衣服などは揉まれて汚れを落とすことが出来る。この時、洗濯槽とパルセーターの温度は３０℃以上に設定されているので、この沸騰を必要なだけ続けることが出来る。この沸騰により温水はどんどん減少するので、必要に応じて、温水器で３０℃以上に温められた温水をパルセーターに取り付けられた給水弁を開いて洗濯槽内に追加しながら沸騰を継続させる。一定時間洗浄をした後、減圧槽の回転を止めてパルセーターに取り付けられた排水弁を開いて汚れた温水を排出する。排水が終わると排水弁を閉じ、給水弁を開いて３０℃以上に温められた温水を必要量洗濯槽の中に入れて給水弁を閉じ、又減圧槽の回転を行い洗濯槽の中を徐々に３１，８ｍｍＨｇまで減圧をして沸点を３０℃まで落として洗濯槽内の温水を沸騰させる。この時必要があれば給水弁を開いて３０℃以上に温められた温水を追加する。しばらく沸騰させた後汚れた温水を排出する。以上の工程を複数回繰り返すことにより衣服などの汚れを落とすことが出来る。この方式では洗濯槽やパルセーターの回転が無いので衣服などの傷みを最小限に抑えることが出来る。【０００７】上記工程で、洗濯槽とパルセーター及び洗濯途中の給水の温度を３０℃以上にしておくことは、洗濯槽内の温水を常時沸騰させておくために必要である。【０００８】  上記工程では、洗濯槽内に３０℃以下の水を入れたときは、洗濯槽及びパルセーターの熱板で水の温度を３０℃以上に暖めることが出来る。【０００９】次に洗濯槽内の沸点を３０℃に設定した時の脱水工程の実施例を説明する。上記洗濯工程で洗濯終了の時点では、洗濯槽内に入れられた衣服などの水滴はほとんど絞られていない状態である。洗濯槽及びパルセーターの温度は３０℃以上に設定したままで排水弁を閉じる。次に減圧槽を回転させて洗濯槽の中を徐々に３１，８ｍｍＨｇまで減圧をして沸点を３０℃まで落とすことにより、洗濯槽及びパルセーターに接触している水滴や衣服などに付いている水滴は沸騰して蒸発を始める。この時パルセーターを回転させて衣服などを撹拌すると衣服などに付いている水滴は飛ばされて洗濯槽及びパルセーターに付着して蒸発が早まる。この状態を数分間続けた後減圧槽の回転を止める。このことにより衣服などに付いた水分をかなり減らすことが出来る。また遠心分離による脱水を行わないので衣服などに強い皺が付くことがない。【００１０】次に洗濯槽内の沸点を３０℃に設定した時の乾燥工程の実施例を説明する。洗濯槽及びパル��ーターを３０℃以上に設定した状態で、通風弁を開いて温風器で３０℃以上に暖めた温風を洗濯槽の中に吹き入れる。この時パルセーターを回転させて衣服などを撹拌しながら行うことと、減圧槽を中速回転させて洗濯槽の中に空気の動きを作りだすと速く衣服などを温めることが出来る。２分ぐらいから５分ぐらい衣服を温めた後、通風弁を閉じて減圧槽を高速回転させて洗濯槽の中を３１，８ｍｍＨｇまで減圧をして沸点を３０℃まで落として衣服などに残っている水分を蒸発させる。２分ぐらいから５分ぐらいこの状態を続けた後、減圧槽を中速回転に戻して通風弁を開いて３０℃以上に暖めた温風を洗濯槽に吹き入れて２分ぐらいから５分ぐらい衣服を温める。充分に衣服を温めた後、通風弁を閉じて減圧槽を高速回転させる。この様に洗濯槽及びパルセーターの温度を３０℃以上に設定した状態でパルセーターを動かしながら、衣服などを温める−洗濯槽内を設定した沸点まで下げる−水分蒸発−衣服などを温める、といった工程を繰り返すことにより衣服などの乾燥を行うものである。この方式だと衣服の乾燥を速めるだけでなく、繊維の内側と外側とで同時に水分の蒸発が起こるので衣服などがふっくらとして仕上がり、繊維の縮みなどが少ない。【００１１】  上記の洗濯、脱水、乾燥工程では、洗濯槽内の沸点温度を２０℃から５０℃の範囲で設定することが出来る。
【産業上の利用可能性】
【００１２】  本発明を市販されている洗濯乾燥機に利用することにより、衣服などが乾燥するまでの時間の短縮と、仕上がりの向上を図ることが出来る。【００１３】  本発明を洗濯乾燥機の脱水工程に利用することにより、遠心力による脱水をしなくても衣服などの脱水が可能となり、遠心力により衣服などに発生する皴をつけることなく衣服の仕上がり状態の向上を図ることができる。
【図面の簡単な説明】
【００１４】
【図１】減圧槽と洗濯槽の二つのドラムを持った洗濯乾燥機の断面図を示したものである。
【図２】減圧槽と洗濯槽及びパルセーターの断面図とその他の機器との関係を示している。
【符号の説明】
【００１５】  １  洗濯乾燥機
２  減圧槽
３  減圧槽の蓋
４  洗濯槽
５  パルセーター
６  温風器
７  温水器
８  モーター
９  排水管
１０  温度計
１１  気圧計
１２  対流
１３  気化した空気
１４  空気や蒸気の流れ
１５  減圧槽に空けられた穴
１６  給水弁
１７  排水弁
１８  通風弁
１９  熱線
【図１】
2005066264.tif 000004
【図２】
2005066264.tif 000005